(57)【要約】【課題】本発明は、携帯電話機において２つ以上の表示部を有効活用できるようにする。【解決手段】本発明は、携帯電話機１の筐体２の一面側に設けられた主表示部５と、筐体２の背面側には、当該背面側に閉じられた閉状態から回動することにより当該主表示部５が設けられた一面側とほぼ並ぶ開状態にまで展開可能に設けられた背面表示部１１とを設けることにより、主表示部５と背面表示部１１とをほぼ同一平面上に並べた状態で使用することができ、かくして主表示部５及び背面表示部１１の双方を有効活用することができる。【選択図】        図１
2004180021.tif 000002
【特許請求の範囲】
【請求項１】
筐体の一面側に設けられた主表示部と、
上記筐体の背面側には、当該背面側に閉じられた閉状態から回動することにより上記主表示部が設けられた上記一面側とほぼ並ぶ開状態にまで展開可能に設けられた副表示部と
を具えることを特徴とする携帯端末装置。
【請求項２】
上記副表示部は、上記筐体の端部に設けられた表示用ヒンジ部の開閉ヒンジを介して上記閉状態から上記開状態まで回動自在に展開する
ことを特徴とする請求項１に記載の携帯端末装置。
【請求項３】
上記副表示部は、上記表示用ヒンジ部の回転ヒンジを介して上記回動自在に展開する展開方向とは直交する直交方向にも回動する
ことを特徴とする請求項１に記載の携帯端末装置。
【請求項４】
上記筐体には、上記筐体の一面側に設けられた上記主表示部の下部に主操作部を有すると共に、上記副表示部が上記閉状態から展開したときにおける上記筐体の上記背面側面上に副操作部を有する
ことを特徴とする請求項１に記載の携帯端末装置。
【請求項５】
上記筐体は、上記副表示部が上記閉状態から展開したときにおける上記筐体の上記背面側面上に鏡を有する
ことを特徴とする請求項１に記載の携帯端末装置。
【請求項６】
上記筐体は、上記副表示部が上記閉状態から展開したときにおける上記筐体の上記背面側面上に撮像手段を有する
ことを特徴とする請求項１に記載の携帯端末装置。
【請求項７】
上記副表示部は、当該副表示部自身の背面側面上に撮像手段を有する
ことを特徴とする請求項１に記載の携帯端末装置。
【発明の詳細な説明】
【０００１】
【発明の属する技術分野】
本発明は携帯端末装置に関し、例えば折り畳み式の携帯電話機に適用して好適なものである。
【０００２】
【従来の技術】
従来、折り畳み式の携帯電話機においては、液晶ディスプレイでなる表示部を有する第１の筐体と、電話番号の入力やメールの入力等に用いられる操作ボタンが設けられた第２の筐体とが折り畳み自在に取り付けられて構成されており、待ち受け時には第１の筐体と第２の筐体とが閉じられた状態で使用され、通話時には第１の筐体と第２の筐体とが開かれた状態で使用される。
【０００３】
従って折り畳み式の携帯電話機では、待ち受け時には表示部を視認することはできず、必ず第１の筐体と第２の筐体とを開かなければならないといった動作が必要となり、折り畳み式ではないスティック式の携帯電話機と比較して必ずしも使い勝手が優れているとは言えなかった。
【０００４】
そこで近年、折り畳み式の携帯電話機においては、第１の筐体の一面に設けられた表示部の他面（背面側）に小型の液晶ディスプレイでなるサブ表示部が設けられたものが開発されており、第１の筐体と第２の筐体とが閉じた状態であっても当該サブ表示部を介して待ち受け時の表示内容の一部を確認することができるようになされている（例えば、特許文献１参照）。
【０００５】
【特許文献１】
特開２００１−１３６２４７公報（第３頁、第１図）
【０００６】
【発明が解決しようとする課題】
ところでかかる構成の折り畳み式の携帯電話機においては、表示部とサブ表示部とが第１の筐体における一面と他面にそれぞれ設けられているものの、閉状態のときのみサブ表示部を使用し得、また開状態のときは一般的に表示部のみを使用し得るが、当該表示部及びサブ表示部の双方を同時に視認することはできず、表示部及びサブ表示部の双方を必ずしも有効活用できていないという問題があった。
【０００７】
本発明は以上の点を考慮してなされたもので、２つ以上の表示部を有効活用し得る使い勝手の一段と優れた携帯端末装置を提案しようとするものである。
【０００８】
【課題を解決するための手段】
かかる課題を解決するため本発明においては、筐体の一面側に設けられた主表示部と、筐体の背面側には、当該背面側に閉じられた閉状態から回動することにより主表示部が設けられた一面側とほぼ並ぶ開状態にまで展開可能に設けられた副表示部とを設けるようにする。
【０００９】
これにより主表示部と副表示部とをほぼ同一平面上に並べた状態で使用することができるので、主表示部及び副表示部の双方を有効活用することができる。
【００１０】
【発明の実施の形態】
以下、図面について、本発明の一実施の形態を詳述する。
【００１１】
（１）携帯電話機の外観構成
図１（Ａ）及び（Ｂ）において、１は全体として本発明を適用した折り畳み式の携帯電話機（以下、これを単に携帯電話機と呼ぶ）の待ち受け時と通話時における外観構成を示し、上側筐体２と下側筐体３とが中央の本体用ヒンジ部４を介して折り畳み可能に形成されており、待ち受け時（図１（Ａ））には折り畳まれた閉状態で使用され、通話時やデータ通信等を行うとき（図１（Ｂ））には展開した開状態で使用される。
【００１２】
下側筐体３は、中央下部にマイクロフォン７が設けられていると共に、当該下側筐体３の全体にわたって数字キー、発呼キー、終話キー、電子メールキー及び回動操作及び押圧操作自在なジョグダイヤル等でなる操作部８が設けられており、当該操作部８の操作によりメニュー項目選択、発呼処理、データ通信等に関する種々の命令を入力し得るようになされている。
【００１３】
上側筐体２は、正面２Ａに液晶ディスプレイでなる主表示部５が設けられていると共に、当該主表示部５の上方にはスピーカ６が設けられている。
【００１４】
また上側筐体２は、当該上側筐体２の正面２Ａに設けられた主表示部５と対向する背面側に薄板形状の背面表示部保持板１０を有し、主表示部５と対向する当該背面表示部保持板１０の正面１０Ａの所定位置に当該主表示部５と同じ画面サイズの液晶ディスプレイでなる背面表示部１１が設けられている。
【００１５】
背面表示部保持板１０は、上側筐体２の右側面に設けられた表示用ヒンジ部１２を介して本体用ヒンジ部４の回動方向とは直交する水平方向（矢印方向）へ回動自在に取り付けられており、当該表示用ヒンジ部１２と一体となって背面表示部保持板１０が水平方向へ自在に展開し得るようになされている。
【００１６】
なお、上側筐体２の背面側には背面表示部保持板１０を収納するための凹部が設けられており、図１（Ａ）に示したように当該背面表示部保持板１０が凹部に収納されたときに、背面表示部保持板１０が上側筐体２の背面から突出することなく、あたかも上側筐体２の背面側に背面表示部１１が一体に設けられているかのような統一感をユーザに対して感じさせるように形成されている。
【００１７】
また、図２（Ａ）に示すように、携帯電話機１は表示用ヒンジ部１２を介して背面表示部保持板１０が水平方向へ展開する場合、当該背面表示部保持板１０を上側筐体２の背面側の凹部に収納された閉状態（図１（Ａ））から上側筐体２の正面２Ａとほぼ同一平面上に並べられた開状態まで自在に開閉し得るようになされている。
【００１８】
すなわち携帯電話機１は、背面表示部保持板１０を閉状態から開状態までの間の任意の位置で使用することができ、かくしてユーザ所望の角度で主表示部５及び背面表示部１１を視認し得るようになされている。
【００１９】
また携帯電話機１は、背面表示部保持板１０を開状態に展開した場合には（図２（Ａ））、上側筐体２の主表示部５と背面表示部保持板１０の背面表示部１１とが並列に並べられることになり、ユーザに対して主表示部５と背面表示部１１とをほぼ同一平面上に並べた状態で双方を同時かつ瞬時に視認させ得るようになされている。
【００２０】
さらに、図２（Ｂ）に示すように、携帯電話機１は背面表示部保持板１０における背面１０Ｂのほぼ中央に撮像用のＣＣＤカメラ１４及び撮像時に被写体を照射するためのランプ１５からなる撮像部１３が設けられており、図２（Ａ）に示したように撮像部１３を被写体側に向けた状態で当該撮像部１３を介して得られる画象を主表示部５又は背面表示部１１のいずれか、もしくは双方に表示して撮影者に目視確認させながら撮影動作を実行させ得るようになされている。
【００２１】
なお、携帯電話機１は上側筐体２の背面側に設けられた凹部の底面に鏡１８が取り付けられており、これにより撮影される被写体側のユーザに対して自身の姿を当該鏡１８を介して目視確認させ得るようにもなされている。
【００２２】
因みに、下側筐体３の背面側には引き出し収納式のアンテナ１７が設けられている。また、背面表示部保持板１０の背面表示部１１には、上側筐体２の右下部から樹脂製カバーで覆われた多芯ケーブル１６を介して回路ブロック（図示せず）からの電気信号が送られるようになされており、これにより当該背面表示部１１に対しても画像を表示し得るようになされている。
【００２３】
（２）携帯電話機における背面表示部の動き
ところで、図３、図４及び図５に示すように、携帯電話機１は上側筐体２の背面表示部保持板１０が開状態となっている場合において、表示用ヒンジ部１２と一体になって当該背面表示部保持板１０が開閉ヒンジ２０を介して回動する水平方向とは直交する垂直方向へ当該背面表示部保持板１０のみが回転ヒンジ２１を介して１８０度の範囲内で回転し得るようになされている。
【００２４】
すなわち携帯電話機１は、背面表示部保持板１０が図３の状態から回転ヒンジ２１を介して回転することにより図４の状態へ遷移し、その後、背面表示部保持板１０が完全に１８０度反転した図５の状態へ遷移することができ、また同様に図５の状態から図４の状態を経て図３の状態へ戻ることもできる。
【００２５】
（３）表示用ヒンジ部の構造
ここで、表示用ヒンジ部１２の構成について説明する。図６に示すように表示用ヒンジ部１２は、開閉ヒンジ２０及び回転ヒンジ２１が取り付け固定されたフレーム２４が上カバー２２及び下カバー２３によって上下方向から挟み込まれるように取り付けられて構成されている。
【００２６】
また、図７に示すように表示用ヒンジ部１２のフレーム２４は、ほぼ断面コ字状でなり、プレート部２４Ａの一端に開閉ヒンジ２０を保持するための開閉ヒンジ保持穴２４Ｂを有すると共に、他端に多芯コード１６を挿通させるためのコード挿通孔２４Ｃを有する。
【００２７】
フレーム２４の開閉ヒンジ保持穴２４Ｂには、当該開閉ヒンジ保持穴２４Ｂの穴形状と同一の断面形状に形成された開閉ヒンジ２０の回動部２０Ｂの一部分（斜線で示す）が勘合されて固定される。
【００２８】
このとき開閉ヒンジ２０の固定部２０Ａは、上側筐体２における開閉ヒンジ保持部１９Ａ（図３〜図５）の内部であって、当該固定部２０Ａと同一形状に形成された凹部空間（図示せず）に勘合されて固定される。
【００２９】
従って開閉ヒンジ２０は、固定部２０Ａが上側筐体２における開閉ヒンジ保持部１９Ａと一体に固定された状態で、フレーム２４の開閉ヒンジ保持穴２４Ｂに固定された回動部２０Ｂが当該フレーム２４と一体となり、開閉ヒンジ保持穴２４Ｂ及びコード挿通孔２４Ｃを結ぶ軸線を中心として回動し得るようになされている。
【００３０】
さらにフレーム２４には、当該プレート部２４Ａのほぼ中央に回転ヒンジ２１を取り付け固定するための回転ヒンジ取付穴２４Ｄが設けられると共に、回転ヒンジ２１に位置固定用として設けられた爪部２１Ａ及び２１Ｂ（図示せず）を当該プレート部２４Ａに勘合するための爪用孔２４Ｅ及び２４Ｆが回転ヒンジ取付穴２４Ｄの両側に設けられている。
【００３１】
なおフレーム２４は、回転ヒンジ取付穴２４Ｄに対して回転ヒンジ２１が取り付け固定された状態で、コード挿通孔２４Ｃを介して挿通された多芯コード１６を回転ヒンジ２１の貫通孔２１Ｃを通過させて背面表示部保持板１０の背面表示部１１と電気的に接続し得るようになされている。
【００３２】
因みにフレーム２４には、回転ヒンジ取付穴２４Ｄの両サイドに当該フレーム２４に対して上カバー２２及び下カバー２３を取り付け固定するための２つのネジ穴２４Ｇ、２４Ｈが設けられている。
【００３３】
ここで回転ヒンジ２１は、固定部２１Ｄ及び回動部２１Ｅによって構成されており、固定部２１Ｄの一部分（斜線で示す）が回転ヒンジ取付穴２４Ｄに勘合された状態で取り付け固定されることにより、回転ヒンジ取付穴２４Ｄの軸線を中心として回動する回動部２１Ｅがプレート部２４Ａの面上から突出した状態で取り付けられ、当該回動部２１Ｅが背面表示部保持板１０と勘合固定される（図３〜図５）ようになされている。
【００３４】
なお回転ヒンジ２１は、一端が回動部２１Ｅに取り付けられると共に他端が固定部２１Ｄに取り付けられた皿バネ２１Ｆを有し、これによりユーザが背面表示部保持板１０を回転ヒンジ２１の回動部２１Ｅを介して回転する際の回転強さを調整し得るようになされている。
【００３５】
さらに回転ヒンジ２１は、背面表示部保持部１０が背面表示部１１を図３〜図５に示したように１８０度反転させることができれば十分であることから、固定部２１Ｄに突出した形状に設けられたストッパ２１Ｇを介してその回転範囲を１８０度の範囲内に制限するようになされている。
【００３６】
このように回転ヒンジ２１は、背面表示部保持板１０の回転範囲を１８０度の範囲内に制限したことにより、結果的に上側筐体２から背面表示部保持板１０の背面表示部１１へ供給された多芯コード１６がねじれることを未然に防止し得るようになされている。
【００３７】
このように開閉ヒンジ２０の回動部２０Ｂ及び回転ヒンジ２１の固定部２１Ｄがフレーム２４に取り付け固定された状態で、下カバー２３のリブ２３Ａ及び２３Ｂに形成された雌ネジ２３Ｃ及び２３Ｄに当該フレーム２４のネジ穴２４Ｈ及び２４Ｇが位置決めされ、当該ネジ穴２４Ｈ及び２４Ｇに上カバー２２のネジ穴２２Ａ及び２２Ｂが位置決めされた後、ネジ止めされることにより表示用ヒンジ部１２が形成されるようになされている。
【００３８】
なお、表示用ヒンジ部１２における上カバー２２及び下カバー２３が携帯電話機１の外側から視覚的に認識できる部分となるのに対し、図３〜図５に示したように開閉ヒンジ２０の固定部２０Ａが上側筐体２におけるヒンジ保持部１９Ａの内部に位置すると共に回動部２０Ｂが上カバー２２及び下カバー２３に隠蔽され、フレーム２４から突出した回転ヒンジ２１の回転部２１Ｅが背面表示部保持板１０の内部に位置すると共に固定部２１Ｄが上カバー２２及び下カバー２３に隠蔽されるため、開閉ヒンジ２０及び回転ヒンジ２１の双方共に視覚的に認識不可能になる。
【００３９】
（４）携帯電話機の動き
次に、携帯電話機１の動きについて図８を用いて説明する。図８（Ａ）に示すように、携帯電話機１は上側筐体２及び下側筐体３が閉じられた状態であって、上側筐体２の背面表示部保持板１０が上側筐体２の凹部に収納され、かつ当該背面表示部保持板１０の背面表示部１１が上を向いている状態である。
【００４０】
続いて、図８（Ｂ）に示すように、携帯電話機１は、ユーザの手によって上側筐体２及び下側筐体３が本体用ヒンジ部４を介して開かれると、上側筐体２の主表示部５がユーザの正面を向いた状態になるが、このとき上側筐体２の背面表示部保持板１０に設けられた背面表示部１１は背面側を向いた状態である。
【００４１】
図８（Ｃ）に示すように、携帯電話機１は、上側筐体２及び下側筐体３が本体用ヒンジ部４を介して展開された状態において（図８（Ｂ））、ユーザの手によって背面表示部１１の設けられた背面表示部保持板１０が背面側から正面側へと表示用ヒンジ部１２を介して回転し、図８（Ｄ）に示すように最終的には上側筐体２の主表示部５と背面表示部保持板１０の背面表示部１１とがほぼ同一面上で並んだ状態となる。
【００４２】
これにより携帯電話機１は、主表示部５及び背面表示部１１がほぼ同一面上に並んだことにより、いわゆるツィンディスプレイを形成し、ユーザに対して２画面同時に目視確認させ得るようになされている。
【００４３】
図８（Ｅ）に示すように携帯電話機１は、主表示部５及び背面表示部１１によりツィンディスプレイを形成した状態から（図８（Ｄ））、ユーザの手によって背面表示部保持板１０を表示用ヒンジ部１２の回転ヒンジ２１（図示せず）を介して矢印方向へ回転されると、図８（Ｆ）に示すように最終的には背面表示部保持板１０が図８（Ｄ）の状態と比較して１８０度反転した状態となる。
【００４４】
このとき携帯電話機１は、背面表示部保持板１０の背面表示部１１が背面側を向くと同時に、背面表示部保持板１０の背面表示部１１とは反対側に設けられたＣＣＤカメラ１４及びランプ１５からなる撮像部１３が正面側を向いた状態となり、かくして当該携帯電話機１を所持しているユーザ自身を被写体として撮像部１３で撮影し得るようになされている。
【００４５】
なお、携帯電話機１は同時に背面表示部１１が背面側を向くことになるので、他人に対して当該背面表示部１１を目視確認させ得るようにもなされている。すなわち携帯電話機１は主表示部５と同一の画像を背面表示部１１に表示すれば、当該携帯電話機１を挟んで両側に存在するユーザと他人との間で同一の画像を同時に共用し得るようになされている。
【００４６】
因みに携帯電話機１は、背面表示部保持板１０が反転され、撮像部１３が正面側に位置すると同時に背面表示部１１が背面側に位置した場合（図８（Ｆ））、図９に示すように、このままでは背面表示部１１の画像が反対向きになったままであり、他人にとって見難い画像表示になっている。
【００４７】
そこで携帯電話機１では、背面表示部保持板１０の背面表示部１１が正面側を向いているのか（図８（Ｄ））、又は背面側を向いているのか（図８（Ｆ））を、表示用ヒンジ部１２の回転ヒンジ２１の動きに基づいて検出し、その検出結果に基づいて背面表示部１１が背面側を向いていると判断した場合には、当該背面表示部１１の画像を反転表示するようになされている。
【００４８】
図８（Ｇ）に示すように携帯電話機１は、図８（Ｆ）に示した状態においてユーザの手によって背面表示部保持板１０が表示用ヒンジ部１２の開閉ヒンジ２０（図示せず）を介して上側筐体２の背面側へ回転されると、当該上側筐体２の背面側に設けられた凹部に背面表示部保持板１０が収納されることになる。
【００４９】
この場合、携帯電話機１は、上側筐体２の背面側において背面表示部１１が外側から見える状態（図８（Ｂ））とは異なり、上側筐体２の背面側において撮像部１３が外側から見える状態となって、他人を撮像し得ると共に背面表示部１１を隠蔽し得るようになされている。
【００５０】
最後に、図８（Ｈ）に示すように、携帯電話機１はユーザの手によって上側筐体２及び下側筐体３を本体用ヒンジ部４を介して閉じられると、上側筐体２の主表示部５が隠蔽されると共に、上側筐体２の背面表示部保持板１０に設けられた背面表示部１１についても隠蔽された状態のまま撮像部１３だけが上を向いた状態となる。
【００５１】
このように携帯電話機１は、図８（Ａ）に示したような上側筐体２の背面表示部保持板１０における背面表示部１１が上側を向いた状態から、図８（Ｈ）に示すような背面表示部保持板１０における背面表示部１１が隠蔽されて撮像部１３が上を向いた状態に変形し得るようになされている。
【００５２】
（５）携帯電話機の回路構成
次に、携帯電話機１の回路構成について図１０を用いて説明する。実際上、携帯電話機１においては、当該携帯電話機１の各種機能を統括的に制御する制御手段としてのＣＰＵ（Ｃｅｎｔｒａｌ  Ｐｒｏｃｅｓｓｉｎｇ  Ｕｎｉｔ）１００に対し、ＲＯＭ（Ｒｅａｄ  Ｏｎｌｙ  Ｍｅｍｏｒｙ）１０１、ＲＡＭ（Ｒａｎｄｏｍ  Ａｃｃｅｓｓ  Ｍｅｍｏｒｙ）１０２、ＣＣＤ（Ｃｈａｒｇｅ  ＣｏｕｐｌｅｄＤｅｖｉｃｅ）カメラ１４及びランプ１５からなる撮像部１３、操作部８、スピーカ６、マイクロフォン７及びアンテナ１７の接続された送受信部１０５、主表示部５、背面表示部１１、水平方向回転検出部１０４、垂直方向回転検出部１０５が接続されている。
【００５３】
ここでＲＯＭ１０１は、ＣＰＵ１００が実行する基本プログラムやアプリケーションプログラム等の各種プログラムやデバイスドライバ等が記憶されており、ＲＡＭ１０２はＣＰＵ１００のワークエリアとして用いられると共に電話帳リストや画像データの記憶手段としても用いられるようになされている。
【００５４】
水平方向回転検出部１０４は、表示用ヒンジ部１２の開閉ヒンジ２０の動きに基づいて、背面表示部保持板１０が表示用ヒンジ部１２を介して水平方向に展開する（図８（Ｃ）及び図８（Ｄ））際の回転の有無を検出するようになされている。
【００５５】
垂直方向回転検出部１０５は、表示用ヒンジ部１２の回転ヒンジ２１の動きに基づいて、当該背面表示部保持板１０が表示用ヒンジ部１２を介して垂直方向に回転する（図８（Ｄ）〜図８（Ｆ））際の当該回転の有無を検出するようになされている。
【００５６】
このような回路構成の携帯電話機１は、マイクロフォン７で集音した音声信号を送受信部１０３によって音声データに変換した後に所定の変調処理を施し、アンテナ１７を介して送信する一方、アンテナ１７を介して受信した受信信号に対して送受信部１０３により所定の復調処理を施し、その結果得られる音声データをアナログ信号に変換し後、スピーカ７を介して出力する。
【００５７】
また携帯電話機１は、操作部８を介して入力された各種命令に応じて発呼処理、撮像処理、電子メール送受信処理等の各種処理を実行すると共に、当該実行結果を主表示部５及び背面表示部１１に表示し得るようになされている。
【００５８】
なお携帯電話機１は、主表示部５及び背面表示部１１の双方に同一内容の画像を表示するだけでなく、後述するようにメニュー画面上の選択操作を通じて主表示部５及び背面表示部１１に対してそれぞれ異なる内容の画像を表示することが可能である。
【００５９】
（６）主表示部５及び背面表示部１１に対する表示制御処理
次に、携帯電話機１の主表示部５及び背面表示部１１に対する表示制御処理手順について、図１１のフローチャートを用いて詳細に説明する。
【００６０】
実際上、携帯電話機１は電源が投入されると、ルーチンＲＴ１の開始ステップから入ってステップＳＰ１へ移る。ステップＳＰ１において携帯電話機１のＣＰＵ１００は、携帯電話機１の上側筐体２及び下側筐体３が本体用ヒンジ部４を介して折り畳まれている状態か否かを判定する。
【００６１】
携帯電話機１のＣＰＵ１００は、上側筐体２及び下側筐体３が折り畳まれている状態のときは主表示部５を使用する必要がないので当該主表示部５をオフ状態に設定するようになされており、そのため折り畳み状態を検出するための検出手段（図示せず）の検出結果に基づいて折り畳まれている状態にあるか否かを判定する。
【００６２】
ここで肯定結果が得られると、このことは図８（Ａ）又は図８（Ｈ）に示したように、上側筐体２及び下側筐体３が本体用ヒンジ部４を介して折り畳まれている状態にあることを表しており、このときＣＰＵ１００は次のステップＳＰ２へ移る。
【００６３】
ステップＳＰ２においてＣＰＵ１００は、上側筐体２の凹部に収納されている背面表示部保持板１０の背面表示部１１が外部から視認可能なように外側を向いているか否かを垂直方向回転検出部１０５の検出結果に基づいて判定する。
【００６４】
ここで肯定結果が得られると、このことは背面表示部１１が図８（Ａ）に示した如く外側を向いた状態にあることを示しており、このときＣＰＵ１００は次のステップＳＰ３へ移る。
【００６５】
ステップＳＰ３においてＣＰＵ１００は、上側筐体２及び下側筐体３が折り畳まれている状態でかつ背面表示部１１が外側を向いた状態にあるので主表示部５をオフ状態に設定すると共に、背面表示部１１を介して表示内容をユーザに目視確認させるべく当該背面表示部１１をオン状態に設定した後、ステップＳＰ１へ戻る。
【００６６】
これに対してステップＳＰ２で否定結果が得られると、このことは背面表示部１１が図８（Ｈ）に示した如く外部から視認できない隠蔽状態にあることを示しており、このときＣＰＵ１００は次のステップＳＰ４へ移る。
【００６７】
ステップＳＰ４においてＣＰＵ１００は、上側筐体２及び下側筐体３が折り畳まれているので主表示部５をオフ状態に設定すると共に、背面表示部１１が隠蔽された状態にあるので当該背面表示部１１についてもオフ状態に設定した後、ステップＳＰ１へ戻る。
【００６８】
ところでステップＳＰ１において否定結果が得られると、このことは図８（Ｂ）又は図８（Ｇ）に示したように、上側筐体２及び下側筐体３が開かれていることを表しており、このときＣＰＵ１００は次のステップＳＰ５へ移る。
【００６９】
ステップＳＰ５においてＣＰＵ１００は、上側筐体２の背面表示部保持板１０が当該上側筐体２の凹部に収納された閉状態にあるか（図８（Ｂ）又は図８（Ｇ））、それとも上側筐体２の背面表示部保持板１０が当該上側筐体２の凹部から展開された開状態にあるか（図８（Ｃ）〜図８（Ｆ））を水平方向回転検出部１０４の検出結果に基づいて判定する。
【００７０】
ここで肯定結果が得られると、このことは背面表示部保持板１０が上側筐体２の凹部に収納されている閉状態（図８（Ｂ）又は図８（Ｇ））に現在あることを表しており、このときＣＰＵ１００は次のステップＳＰ６へ移る。
【００７１】
ステップＳＰ６においてＣＰＵ１００は、背面表示部保持板１０が上側筐体２の凹部に収納されている閉状態（図８（Ｂ）又は図８（Ｇ））で、かつ図１２（Ａ）に示すように背面表示部１１が外部から視認可能な外側を向いている状態にあるか否かを垂直方向回転検出部１０５の検出結果に基づいて判定する。
【００７２】
ここで否定結果が得られると、このことは図１２（Ｂ）に示すように背面表示部保持板１０が上側筐体２の凹部から収納されたまま展開されていない閉状態で、かつ背面表示部１１が外部から視認不可能な隠蔽された状態にあることを表しており、このときＣＰＵ１００は次のステップＳＰ７へ移る。
【００７３】
ステップＳＰ７においてＣＰＵ１００は、主表示部５についてはユーザに対して視認可能な状態であるためオン状態に設定すると共に、背面表示部１１については隠蔽された状態であるためオフ状態に設定した後、ステップＳＰ１に戻る。
【００７４】
これに対してステップＳＰ６で肯定結果が得られると、このことは図１２（Ａ）に示したように背面表示部保持板１０が上側筐体２の凹部空間から収納されたまま展開されていない閉状態ではあるものの、背面表示部１１が外部から視認可能な外側を向いた状態にあることを表しており、このときＣＰＵ１００は次のステップＳＰ８へ移る。
【００７５】
図１３に示すように、ＣＰＵ１００はステップＳＰ８におけるサブルーチンに入って次のステップＳＰ２１へ移る。ステップＳＰ２１においてＣＰＵ１００は、ユーザによるメニュー画面（図示せず）における選択操作に応じて主表示部５及び背面表示部１１の双方ともにオン状態に起動する命令が与えられたか否かを判定する。
【００７６】
ここで否定結果が得られると、このことは主表示部５のみをオン状態に起動する命令が与えられたことを表しており、このときＣＰＵ１００は次のステップＳＰ２２へ移る。
【００７７】
ステップＳＰ２２においてＣＰＵ１００は、上側筐体２の主表示部５だけをオン状態に設定し、ステップＳＰ２１へ戻る。
【００７８】
これに対してステップＳＰ２１で肯定結果が得られると、このことは主表示部５及び背面表示部１１の双方ともにオン状態に起動する命令がユーザによって与えられたことを表しており、このときＣＰＵ１００は次のステップＳＰ２３へ移る。
【００７９】
ステップＳＰ２３においてＣＰＵ１００は、まず背面表示部１１をオン状態に設定することにより当該背面表示部１１をアクティブにし、次のステップＳＰ２４へ移る。
【００８０】
ステップＳＰ２４においてＣＰＵ１００は、ステップＳＰ２３でアクティブな状態に設定した背面表示部１１に対して、メニュー画面を介してユーザに選択された表示すべき内容を認識した後、次のステップＳＰ２５へ移る。
【００８１】
ステップＳＰ２５においてＣＰＵ１００は、ユーザに選択された表示すべき内容で背面表示部１１を表示することを決定し、その内容を背面表示部１１に対して実際に表示した後、次のステップＳＰ２６へ移る。
【００８２】
ステップＳＰ２６においてＣＰＵ１００は、主表示部５に対しても表示すべき画像を表示し、上述のステップＳＰ２１へ戻る。
【００８３】
例えばＣＰＵ１００は、図１（Ｂ）及び図１２（Ａ）に示したように、携帯電話機１の主表示部５及び背面表示部１１が双方とも外部から視認可能な状態において、主表示部５及び背面表示部１１の双方に対して同一内容のコンテンツを表示することも可能であるし、また主表示部５と背面表示部１１とに表示すべき内容をそれぞれ変更して表示することも可能である。
【００８４】
一方、ステップＳＰ５で否定結果が得られると、このことは背面表示部保持板１０が上側筐体２の凹部空間に収納されておらず展開した開状態（図８（Ｃ）〜図８（Ｆ）のいずれか）にあることを表しており、このときＣＰＵ１００は次のステップＳＰ９へ移る。
【００８５】
ステップＳＰ９においてＣＰＵ１００は、開状態（図８（Ｃ）〜図８（Ｆ）のいずれか）にある背面表示部保持板１０の背面表示部１１が、図８（Ｄ）に示したような正面側を向いているか否かを水平方向回転検出部１０４の検出結果に基づいて判定する。
【００８６】
ここで肯定結果が得られると、このことは開状態にある背面表示部保持板１０の背面表示部１１が正面側を向いていて、主表示部５及び背面表示部１１がほぼ同一面上に並べられたいわゆるツインディスプレイ状態にあることを表しており、このときＣＰＵ１００は次のステップＳＰ８へ移る。
【００８７】
ＣＰＵ１００は、上述したように再度ステップＳＰ８におけるサブルーチン（図１３）に入って次のステップＳＰ２１へ移る。ステップＳＰ２１においてＣＰＵ１００は、ユーザによるメニュー画面（図示せず）における選択操作に応じて主表示部５及び背面表示部１１の双方ともにオン状態に起動する命令が与えられたか否かを判定する。
【００８８】
ここで否定結果が得られると、このことは主表示部５のみをオン状態に起動する命令が与えられたことを表しており、このときＣＰＵ１００は次のステップＳＰ２２へ移る。
【００８９】
ステップＳＰ２２においてＣＰＵ１００は、上側筐体２の主表示部５だけをオン状態に設定し、ステップＳＰ２１へ戻る。
【００９０】
これに対してステップＳＰ２１で肯定結果が得られると、このことは主表示部５及び背面表示部１１の双方ともにオン状態に起動することによりツインディスプレイ状態に設定する命令がユーザによって与えられたことを表しており、このときＣＰＵ１００は次のステップＳＰ２３へ移る。
【００９１】
ステップＳＰ２３においてＣＰＵ１００は、まず背面表示部１１をオン状態に設定することにより当該背面表示部１１をアクティブにし、次のステップＳＰ２４へ移る。
【００９２】
ステップＳＰ２４においてＣＰＵ１００は、ステップＳＰ２３でアクティブな状態に設定した背面表示部１１に対して、メニュー画面を介してユーザに選択された表示すべき内容を認識し、次のステップＳＰ２５へ移る。
【００９３】
ステップＳＰ２５においてＣＰＵ１００は、ユーザに選択された表示すべき内容で背面表示部１１を表示することを決定し、その内容で背面表示部１１に対して実際に表示した後、次のステップＳＰ２６へ移る。
【００９４】
ステップＳＰ２６においてＣＰＵ１００は、主表示部５に対しても表示すべき画像を表示し、上述のステップＳＰ２１へ戻る。
【００９５】
この場合ＣＰＵ１００は、例えばツインディスプレイ状態（図８（Ｄ））において、図１４（Ａ）に示すように、主表示部５には相手から受信した電子メールの内容を表示すると同時に、背面表示部１１にはカレンダーを表示する。
【００９６】
これによりＣＰＵ１００は、ユーザに対して、主表示部５及び背面表示部１１を介して一度に２画面同時に目視確認させることができるので、電子メールの内容に合わせたスケジュール調整の判断を瞬時に行わせることができる。
【００９７】
またＣＰＵ１００は、ツインディスプレイ状態（図８（Ｄ））において、図１４（Ｂ）に示すように、主表示部５には現在サーバからコンテンツのダウンロード中であることを示す「ダウンロード中」の文字画像を表示すると同時に、背面表示部１１には既にダウンロード済みのコンテンツの再生画像を表示する。
【００９８】
これによりＣＰＵ１００は、ユーザが当該背面表示部１１でコンテンツの再生画像を視認中に、他のコンテンツをサーバからダウンロードする場合であっても、背面表示部１１の再生画像の表示を停止させることなく、「ダウンロード中」の文字画像を主表示部５に表示することができるので、ダウンロード済みのコンテンツに関する再生画像に関しては背面表示部１１で継続表示して視認させることができる。
【００９９】
さらにＣＰＵ１００は、ツインディスプレイ状態（図８（Ｄ））において、図１４（Ｃ）に示すように、主表示部５には電子メールの入力文の入力中画面を表示すると同時に、背面表示部１１には電子メールの宛先人の顔を写した静止画像を表示する。
【０１００】
これによりＣＰＵ１００は、ユーザに対して、背面表示部１１を介して宛先人の顔を写した静止画像を視認させながら、主表示部５に表示した入力中画面を通じて電子メールの文章を入力させることができる。
【０１０１】
なおＣＰＵ１００は、例えばツインディスプレイ状態（図８（Ｄ））において、図１５（Ａ）に示すように、主表示部５に及び背面表示部１１の双方に同一内容の画像を表示したり、図１５（Ｂ）に示すように、主表示部５及び背面表示部１１の双方を用いて１枚の画像を表示しても良い。
【０１０２】
ところで、仮に携帯電話機が通常の主表示部５のみの構成である場合、若しくは上側筐体２自体の背面側に背面表示部を直接取り付けられた構成である場合、ユーザは一度に２画面同時に目視確認することはできず使い勝手が不十分であった。
【０１０３】
しかし、本実施の形態における携帯電話機１であれば、表示用ヒンジ部１２を介して主表示部５及び背面表示部１１をツインディスプレイ状態に展開することができるので、ユーザに対して２画面同時に目視確認させることができ、かくして主表示部５及び背面表示部１１を有効活用することができる。
【０１０４】
ところでステップＳＰ９において否定結果が得られると、このことは開状態にある背面表示部保持板１０の背面表示部１１が正面側を向いておらず例えば背面側を向いていて、ユーザの正面側には主表示部５及びＣＣＤカメラ１４及びランプ１５からなる撮像部１３が位置された状態（図８（Ｆ））にあることを表しており、このときＣＰＵ１００は次のステップＳＰ１０へ移る。
【０１０５】
ステップＳＰ１０においてＣＰＵ１００は、現在ユーザの背面側を向いている背面表示部１１をオン状態にする命令がユーザによる選択画面の操作を通じて与えられたか否かを判定する。
【０１０６】
ここで否定結果が生じると、このことは背面表示部１１をオン状態にする命令が与えられていないことを表しており、このときＣＰＵ１００は次のステップＳＰ１１へ移る。
【０１０７】
ステップＳＰ１１においてＣＰＵ１００は、主表示部５をデフォルト通りオン状態に設定すると共に、背面表示部１１についてはオフ状態に設定したまま、ステップＳＰ１へ戻る。
【０１０８】
これに対してステップＳＰ１０で肯定結果が得られると、このことは背面表示部１１をオン状態にする命令がユーザによる選択画面の操作を通じて与えられていることを表しており、このときＣＰＵ１００は次のステップＳＰ１２へ移る。
【０１０９】
ステップＳＰ１２においてＣＰＵ１００は、主表示部５をデフォルト通りオン状態に設定すると共に、背面表示部１１をオン状態にする命令に従って当該背面表示部１１をオン状態に設定するが、このとき背面表示部１１に表示すべき画像を上下反転して表示するようになされている。
【０１１０】
と言うのは、背面表示部１１については図８（Ｄ）に示したような正面側を向いているツインディスプレイ状態のときに画像表示することを前提として設定されているために、背面表示部保持板１０が表示用ヒンジ部１２の回転ヒンジ２１を介して１８０度反転した図８（Ｆ）の状態では、図９に示したような背面表示部１１に表示される画像が逆さまになってしまうからである。
【０１１１】
従って、このようなことを未然に防止するためＣＰＵ１００は、図８（Ｆ）の状態のときには背面表示部１１に表示すべき画像を上下反転して表示することにより、背面側に居る他人が背面表示部１１に表示された画像を目視確認し得るようになされている。
【０１１２】
すなわち携帯電話機１が図８（Ｆ）の状態で使用される場合、図１６（Ａ）及び（Ｂ）に示すように、ユーザが撮影者となって自分自身を撮影したときの静止画像を主表示部５に表示すると同時に、背面表示部１１に対しても主表示部５と同一の静止画像を表示することにより、背面側に存在する他人に対しても撮影者が撮影した撮影者自身の静止画像を背面表示部１１を介して他人に目視確認させることができる。
【０１１３】
なお、第１の実施の形態においては、背面表示部保持板１０にＣＣＤカメラ１４及びランプ１５からなる撮像部１３を設けるようにした場合について述べたが、本発明はこれに限らず、図１７に示すように背面表示部保持板１０に設けられたＣＣＤカメラ１４及びランプ１５からなる撮像部１３に加えて、上側筐体２の背面に設けられた鏡１８のほぼ中央部分にＣＣＤカメラ３１及びランプ３２からなる第２の撮像部３０を設けるようにしたツインカメラ方式を採用するようにしても良い。
【０１１４】
この場合、携帯電話機１は、図１８（Ａ）及び（Ｂ）に示すように、ユーザが撮影者となって上側筐体２の背面に設けられた第２の撮像部３０を介して他人を撮影したときの静止画像を主表示部５に表示すると同時に、背面表示部１１に対しても主表示部５と同一の他人の静止画像を表示することにより、背面側に居る他人に対して撮影者が撮影した当該他人の静止画像を背面表示部１１を介して目視確認させることができる。
【０１１５】
なお、携帯電話機１においてツインカメラ方式を採用した場合、図１９（Ａ）及び（Ｂ）に示すように、ＣＰＵ１００は撮像部１３で撮影者自身を撮影すると共に主表示部５に対して撮影者自身の画像を表示し、同時に第２の撮像部３０で他人を撮影すると共に背面表示部１１に他人の画像を表示するようにしても良い。
【０１１６】
（７）動作及び効果
以上の構成において、携帯電話機１は上側筐体２の背面側の凹部に背面表示部保持板１０が収納されている閉状態（図８（Ｂ））から、表示用ヒンジ部１２の開閉ヒンジ２０を介して当該背面表示部保持板１０を水平方向に回動させ、当該背面表示部保持板１０の背面表示部１１を当該主表示部５とほぼ同一面上でかつ並列に並べられるまでの開状態にまで開閉し得るようにしたことにより、背面表示部１１を主表示部５の背面側に位置させた状態で使用できると共に、当該背面表示部１１を主表示部５と並列に並べたツインディスプレイ状態として使用することもできる。
【０１１７】
また携帯電話機１は、背面表示部保持板１０が水平方向へ開閉する方向とは直交する直交方向へ当該背面表示部保持板１０を表示用ヒンジ部１２の回転ヒンジ２１を介して１８０度の範囲内で回転し得るようにしたことにより、背面表示部１１をツインディスプレイ状態（図２（Ａ）、図８（Ｄ））として使用することができるだけでなく、背面表示部保持板１０の背面表示部１１を外部から目視確認可能な状態のまま上側筐体２の凹部に収納することができ（図１２（Ａ））、また背面表示部保持板１０を上側筐体２の凹部に収納する際に背面表示部１１を外部から目視確認できないように隠蔽することもできる（図１２（Ｂ））。
【０１１８】
なお携帯電話機１は、背面表示部保持板１０が直交方向へ１８０度の範囲内で回転し得る構造であって、かつ背面表示部保持板１０の背面１０Ｂに撮像部１３が設けられていることにより、携帯電話機１を動かすことなく背面表示部保持板１０を１８０度の範囲内で回転させるだけで、正面側のユーザ又は背面側の他人を撮像部１３で撮影することができる。
【０１１９】
このように携帯電話機１は、表示用ヒンジ部１２を介して背面表示部１１が設けられた背面表示部保持板１０を水平方向及び垂直方向へ回転し得るようにしたことにより、背面表示部保持板１０を上側筐体２の凹部に収納して背面表示部１１を隠蔽し、従来通り主表示部５だけを表示画面として用いる使用形態を選択することも可能である。
【０１２０】
また携帯電話機１は、背面表示部保持板１０を上側筐体２の凹部に収納した状態でありながら背面表示部１１を外部から目視確認できるように外側へ向け、正面側の主表示部５と背面側の背面表示部１１との双方を表示画面として用いる使用形態を選択することも可能である。
【０１２１】
さらに携帯電話機１は、背面表示部保持板１０を上側筐体２の凹部から展開して主表示部５と背面表示部１１とを並列に並べることにより、主表示部５及び背面表示部１１を有効活用したツインディスプレイ状態として用いる使用形態を選択することもできる。
【０１２２】
一方、携帯電話機１のＣＰＵ１００は、上側筐体２及び下側筐体３が本体用ヒンジ部４を介して折り畳まれている場合や展開されている場合、背面表示部保持板１０が上側筐体２の凹部に収納されている場合、背面表示部保持板１０が上側筐体２の凹部から展開されツインディスプレイ状態に設定されている場合等の主表示部５及び背面表示部１１の使用形態に応じて種々の表示制御を実行することができる。
【０１２３】
すなわち携帯電話機１のＣＰＵ１００は、主表示部５のみをオン状態に設定すると共に背面表示部１１をオフ状態に設定したり、その逆で主表示部５をオフ状態に設定すると共に背面表示部１１をオン状態に設定したり、もしくは主表示部５及び背面表示部１１の双方共に同一内容の画像を表示したり、主表示部５と背面表示部１１とで異なる内容の画像を表示することができるので、主表示部５及び背面表示部１１に対するユーザの使用形態に合わせたあらゆる組み合わせの表示制御を実行し得、かくして主表示部５及び背面表示部１１を有効活用することができる。
【０１２４】
このように携帯電話機１は、主表示部５に対して背面表示部１１が閉状態から開状態までの範囲で展開するときの開閉状態に応じて当該主表示部５及び背面表示部１１の表示制御を行うことにより、背面表示部１１に対して主表示部５の内容と関連性を持った内容の表示を行うこともで、ユーザの使い勝手を一段と向上させることができる。
【０１２５】
因みに、図２０に示すように携帯電話機１は上側筐体２に収納されていた背面表示部保持板１０を所定角度まで展開した状態で下側筐体３を土台として設置すれば、当該背面表示部保持板１０の背面表示部１１を横画面として用いることにより、あたかも小型の画像表示装置として使用することも可能である。
【０１２６】
以上の構成によれば、携帯電話機１は主表示部５に加えて、背面側から正面側まで表示用ヒンジ部１２の開閉ヒンジ２０を介して水平方向へ展開自在でかつ、当該水平方向と直交する直交方向へ１８０度の範囲内で回転自在な背面表示部保持板１０に背面表示部１１を設けるようにしたことにより、背面表示部１１をユーザの好みに合わせて背面側を向けた状態で使用したり、正面側でツインディスプレイ状態として使用したり、若しくは隠蔽した状態で使用しなかったりといった背面表示部１１を有効活用し得る様々な使用形態をユーザに提供することができる。
【０１２７】
（８）他の実施の形態
なお上述の第１及び第２の実施の形態においては、本発明を折り畳み式の携帯電話機１について適用するようにした場合について述べたが、本発明はこれに限らず、スティック式の携帯電話機に適用するようにしても良い。
【０１２８】
また上述の形態においては、図２（Ｂ）に示したように上側筐体２の凹部の底面に鏡１８を取り付けるようにした場合について述べたが、本発明はこれに限らず、図２１に示すようにゲーム用の操作ボタン４０等を設けるようにしても良い。
【０１２９】
この場合、携帯電話機１は上側筐体２に収納されていた背面表示部保持板１０を所定角度まで展開した状態で下側筐体３をユーザの両手で保持するための土台とし、当該背面表示部保持板１０の背面表示部１１を横画面として用いることにより、あたかも小型のゲーム機としてユーザに違和感なく使用させることもできる。
【０１３０】
さらに上述の実施の形態においては、上側筐体２の右端部に表示用ヒンジ部１２を設けるようにした場合について述べたが、本発明はこれに限らず、左端部に表示用ヒンジ部１２を設けたり、上側筐体２の上端部に表示用ヒンジ部１２を設けるようにしても良く、さらには右端部及び左端部に表示用ヒンジ部１２をそれぞれ設けると共に背面表示部保持板１０もそれぞれ２個設けることにより合計３個のトリプルディスプレイ状態等を形成し得るようにするなど要は複数の表示部を有する携帯電話機を構築できるようにしても良い。
【０１３１】
さらに上述の実施の形態においては、副表示部としての背面表示部保持板１０及び背面表示部１１を上側筐体２の右端部に表示用ヒンジ部１２を介して回動自在に取り付けられるようにした場合について述べたが、本発明はこれに限らず、副表示部としての背面表示部保持板１０及び背面表示部１１を下側筐体の右端部もしくは左端部に表示用ヒンジ部１２を介して回動自在に取り付けられるようにしても良い。
【０１３２】
さらに上述の実施の形態においては、本発明を携帯端末装置としての携帯電話機１に適用するようにした場合について述べたが、本発明はこれに限らず、ＰＤＡ（Ｐｅｒｓｏｎａｌ  Ｄｉｇｉｔａｌ  Ａｓｓｉｓｔａｎｔ）等の他の種々の携帯端末装置に適用するようにしても良い。
【０１３３】
【発明の効果】
上述のように本発明によれば、筐体の一面側に設けられた主表示部と、筐体の背面側には、当該背面側に閉じられた閉状態から回動することにより主表示部が設けられた一面側とほぼ並ぶ開状態にまで展開可能に設けられた副表示部とを設けることにより、主表示部と副表示部とをほぼ同一平面上に並べた状態で使用することができるので、主表示部及び副表示部の双方を有効活用することができ、かくして２つ以上の表示部を有効活用し得る使い勝手の一段と優れた携帯端末装置を実現することができる。
【図面の簡単な説明】
【図１】本発明における携帯電話機の外観構成（１）を示す略線的斜視図である。
【図２】携帯電話機の外観構成（２）を示す略線的斜視図である。
【図３】表示用ヒンジ部による背面表示部保持板の動き（１）を示す略線的斜視図である。
【図４】表示用ヒンジ部による背面表示部保持板の動き（２）を示す略線的斜視図である。
【図５】表示用ヒンジ部による背面表示部保持板の動き（３）を示す略線的斜視図である。
【図６】表示用ヒンジ部の全体構成を示す略線的斜視図である。
【図７】表示用ヒンジ部の部品構成を示す略線的斜視図である。
【図８】携帯電話機の動きを示す略線的斜視図である。
【図９】背面表示部の画像表示状態を示す略線的斜視図である。
【図１０】携帯電話機の回路構成を示す略線的ブロック図である。
【図１１】表示制御処理手順を示すフローチャートである。
【図１２】携帯電話機の背面状態を示す略線的斜視図である。
【図１３】表示選択処理手順を示すフローチャートである。
【図１４】ツインディスプレイ状態における表示内容（１）を略線図である。
【図１５】ツインディスプレイ状態における表示内容（２）を略線図である。
【図１６】表示内容の選択（１）の説明に供する略線図である。
【図１７】カメラを２個搭載した携帯電話機の構成を示す略線的斜視図である。
【図１８】表示内容の選択（２）の説明に供する略線図である。
【図１９】表示内容の選択（３）の説明に供する略線図である。
【図２０】携帯電話機の使用形態を示す略線的斜視図である。
【図２１】他の実施の形態における携帯電話機の構成を示す略線的斜視図である。
【符号の説明】
１……携帯電話機、２……上側筐体、３……下側筐体、４……本体用ヒンジ部、５……主表示部、８……操作部、１０……背面表示保持板、１１……背面表示部、１２……表示用ヒンジ部、１３……撮像部、２０……開閉ヒンジ、２１……回転ヒンジ。
【図１】
2004180021.tif 000003
【図２】
2004180021.tif 000004
【図３】
2004180021.tif 000005
【図４】
2004180021.tif 000006
【図５】
2004180021.tif 000007
【図６】
2004180021.tif 000008
【図７】
2004180021.tif 000009
【図８】
2004180021.tif 000010
【図９】
2004180021.tif 000011
【図１０】
2004180021.tif 000012
【図１１】
2004180021.tif 000013
【図１２】
2004180021.tif 000014
【図１３】
2004180021.tif 000015
【図１４】
2004180021.tif 000016
【図１５】
2004180021.tif 000017
【図１６】
2004180021.tif 000018
【図１７】
2004180021.tif 000019
【図１８】
2004180021.tif 000020
【図１９】
2004180021.tif 000021
【図２０】
2004180021.tif 000022
【図２１】
2004180021.tif 000023